(57)【要約】【課題】階段を昇降する者に階段の存在を確実に知らせて注意を喚起することが可能であるとともに、長年月の使用によってもその機能を失うことが無い階段用滑り止め具を提供すること。【解決手段】階段用滑り止め具であって、階段の踏み板に装着される装着金具（２）と、該装着金具（２）の上面側に着脱自在に固定された踏み面部（３）とにより構成され、前記踏み面部（３）は、複数の凸面部（３０１ａ、３０１ｂ、３０１ｃ）を有するとともに前記凸面部（３０１ａ、３０１ｂ、３０１ｃ）のいずれかを他の部分と異なる色になるようにして、押し出し成形により一体成形して成ることを特徴としており、これにより、異なった色にした凸面部の存在により階段の位置を確実に知らせることが可能であるとともに、異なる色にした凸面部が脱落することが無く、長期間の使用でもその機能を損なうことがない。【選択図】　　　　　　　図１
0003097436.tif 000002
【実用新案登録請求の範囲】
【請求項１】
階段用滑り止め具であって、
階段の踏み板に装着される装着金具（２）と、
該装着金具（２）の上面側に着脱自在に固定された踏み面部（３）とにより構成され、
前記踏み面部（３）は、複数の凸面部（３０１ａ、３０１ｂ、３０１ｃ）を有するとともに、前記凸面部（３０１ａ、３０１ｂ、３０１ｃ）のいずれかを他の部分と異なる色になるようにして、押し出し成形により一体成形して成ることを特徴とする階段用滑り止め具。
【請求項２】
前記踏み面部（３）を樹脂により形成したことを特徴とする請求項１に記載の階段用滑り止め具。
【請求項３】
前記複数の凸面部（３０１ａ、３０１ｂ、３０１ｃ）のいずれかを黄色にしたことを特徴とする請求項１又は請求項２に記載の階段用滑り止め具。
【考案の詳細な説明】
【０００１】
【考案が属する技術分野】
本考案は、階段用の滑り止め具に係り、より詳しくは、階段の踏み板に装着される装着金具と、この装着金具に固定される、複数個の凸面部を備える踏み面部とを有する階段用滑り止め具において、踏み面部における凸面部のいずれかを他の部分と異なる色になるようにするとともに、異なる色とした凸面部を含めて踏み面部全体を押し出し成形により一体成形したことを特徴とする階段用滑り止め具に関する。
【０００２】
【従来の技術】
従来から、階段の昇降時における滑り止め防止のために、階段の踏み板部に滑り止め具を取り付けることが行なわれている。
【０００３】
ここで、図７は、従来から用いられている階段用の滑り止め具３１を示す断面図であり、この従来の滑り止め具３１では、階段における踏み板部の横幅方向の寸法に対応させた、長尺状の装着金具３２を備えている。
【０００４】
そして、この装着金具３２は、側面形状を略Ｌ字形状にすることにより、脚部３２０１と、この脚部３２０１に連設された装着面部３２０２とを備え、装着面部３２０２の上面には、樹脂等により形成された踏み面部３３が着脱自在に固定されている。
【０００５】
また、この踏み面部３３は、前記装着金具３２とほぼ同寸法の長さの長尺状であるとともに、その上面には、複数個の凸面部３３０１が形成されており、この凸面部によって滑り止めの機能を発揮するようにしている。
【０００６】
そして、この従来の滑り止め具３１を使用する際には、ネジ等によって、装着金具３２を階段の踏み板における前縁コーナー部に装着するとともに、装着金具３２の装着面部３２０１に踏み面部３３を装着する。
【０００７】
そしてこれにより、踏み面部における凸面部３３０１によって、階段を昇降する際に足が滑ることを有効に防止することが可能となる。
【０００８】
【考案が解決しようとする課題】
ところで、従来の滑り止め具の中には、昇降する者に階段の存在を知らせて注意を喚起するために、前記踏み面部の色を青、赤、緑等の原色にしたものが提供さており、これによって、階段を昇降する者が階段の位置を知ることを可能としているが、何らかの理由で注意力が散漫になっている場合などは、踏み面部を原色にしたのみでは階段の位置を正確に知ることができず、これによって、階段を踏み外してしまうことが考えられる。そしてこのことは、特に、幼児や年配者、あるいは目の不自由な者の場合には顕著である。
【０００９】
この点、過去においては、階段用の床シートにおいて、踏み面部に他の部分と異なる色のテープを貼着したり、あるいは、階段用の段差表示プレートにおいて、着色合成樹脂部の上面に、ライン状の発光性顔料及び蓄光性蛍光体含有の合成樹脂部（「着色ライン部」）を埋設した方法が提案されており（特開平１１−７１８７７号、特開２００２−８２６３８号参照）、これを階段用滑り止め具に応用することも考えられる。
【００１０】
しかしながら、このように、テープを貼着した場合や着色ライン部を埋設した場合には、テープが剥がれてしまい、あるいは着色ライン部が脱落してしまうおそれが考えられ、かかる場合には昇降者の注意を喚起することが不可能になってしまうばかりでなく、着色ライン部が脱落した場合には昇降者の昇降の妨げになることも考えられる。
【００１１】
そこで、本考案は、階段を昇降する者に階段の存在を確実に知らせて注意を喚起することが可能であるとともに、長年月の使用によってもその機能を失うことが無い階段用滑り止め具を提供することを課題としている。
【００１２】
【課題を解決するための手段】
本考案の階段用滑り止め具は、
階段の踏み板に装着される装着金具と、該装着金具の上面側に着脱自在に固定された踏み面部とにより構成され、
前記踏み面部は、複数の凸面部を有するとともに前記凸面部のいずれかを他の部分と異なる色になるようにして、押し出し成形により一体成形して成ることを特徴としている。
【００１３】
本考案の階段用滑り止め具は、複数個の凸面部を有する踏み面部を備えるとともに、この踏み面部は、複数個の凸面部のいずれかの色が他の部分と異なる色になるようにして、異なる色とした凸面部を含めて、押し出し成形により一体成形している。
【００１４】
このように、本考案の階段用滑り止め具では、滑り止め用に用いられる凸面部の中のいずれかを他の部分と異なった色にしているために、階段を昇降する者に対して、階段の存在を確実に知らせてその注意を喚起することが可能である。
【００１５】
そして、このとき、本考案の階段用滑り止め具では、異なった色にした凸面部を含めて、踏み面部全体を押し出し成形により一体成形しているために、異なる色にした凸面部が脱落することが無く、長期間使用した場合でもその機能を損なうことがない。
【００１６】
【考案の実施の形態】
本考案の階段用滑り止め具では、階段の踏み板に装着される装着金具と、この装着金具に固定される踏み面部とを備えている。
【００１７】
そして、装着金具は、側面形状を略Ｌ字形状にすることで、脚部と、この脚部に対して略直交する方向へ連設された踏み面部を有しており、これにより、階段における踏み板の前縁コーナー部に装着可能としている。
【００１８】
また、踏み面部は、複数の凸面部を有しており、この複数個の凸面部のいずれかを、他の部分と異なる色にしており、これにより階段を昇降する者に注意を喚起できるようにしている。
【００１９】
そして、踏み面部は、異なった色にした凸面部を含めて、その全体を、押し出し成形により一体成形している。
【００２０】
ここで、前記踏み面部は樹脂により形成するとよく、これにより容易に、押し出し成形により一体成形することが可能である。
【００２１】
また、特に幼児や年配者を考慮すると、踏み面部における凸面部の異なった色としては、特に黄色が好ましく、これにより有効に階段を昇降する者に注意を喚起することが可能となる。
【００２２】
【実施例】
本考案の階段用滑り止め具（以下単に「滑り止め具」という。）の実施例について図面を参照して説明すると、図１は、本実施例の滑り止め具の斜視図であり、また、図２は本実施例の滑り止め具を分解した状態の側面図であり、図において１が本実施例の滑り止め具である。
【００２３】
そして、本実施例における滑り止め具１は、前述の従来の滑り止め具３１と同様に、階段における踏み板の前縁コーナー部に装着される装着金具２と、この装着金具２に固定される踏み面部３とを備えている。
【００２４】
ここで、この装着金具２について説明すると、本実施例においてこの装着金具２は、側面形状を略Ｌ字形状とした長尺状物であり、全体をステンレス、アルミ等の金属素材により構成し、図示しないネジ孔等を介して階段における踏み板に装着可能としている。
【００２５】
そして、階段における踏み板の前縁コーナー部の蹴上げ部に当接される脚部２０１と、この脚部２０１に対して略直交する方向へ向けて連設された、前記踏み面部３を装着するための固定面部２０２とを備えており、これにより、階段における踏み板の前縁コーナー部に装着可能としている。
【００２６】
次に、図において３が踏み面部であり、即ち、本実施例の滑り止め具１においては、前記装着金具２における固定面部２０２上には、押し出し成形により一体成形された踏み面部３が着脱自在に係止されており、この踏み面部３によって階段を昇降する者が足を滑らすことを防止している。
【００２７】
即ち、本実施例において前記踏み面部３は、前記装着金具２の長さ寸法に対応させた長尺状としているとともに、上面には、その長手方向に沿って複数個の凸面部３０１が形成されている。そして、この複数個の凸面部３０１によって、階段を昇降する者が足を滑らすことを防止している。
【００２８】
そして、本実施例においては、三本の凸面部３０１ａ、３０１ｂ、３０１ｃを形成するとともに、中央に位置する凸面部３０１ｂの色を、他の部分の色と異なった色としている。具体的には、本実施例においては、前記中央に位置する凸面部３０１ｂ（図３における塗りつぶし部分）の色を黄色に形成し、その他の部分の踏み面部３０１ａ、３０１ｃを青色に形成している。
【００２９】
なお、図において３０２は、踏み面部３の下側に形成した係止片であり、即ち、本実施例における踏み面部３では、下面両端部分に係止片３０２を形成しており、一方、前記装着金具２における固定免部２０２の両端部には、係止突起２０３を、互いに対向する側に向けて突設することによって係止溝２０４を形成しており、前記係止片３０２を前記係止溝２０４内に係止することにより、装着金具２に踏み面部３を固定可能としている。
【００３０】
このように、本実施例の滑り止め具では、全体を青色にするとともに、３本形成した凸面部３０１ａ、３０１ｂ、３０１ｃの中の中央部分に位置する凸面部３０１ｂを黄色にしているため、この黄色にした凸面部３０１ｂによって、階段の位置を容易に知ることが可能であり、特に幼児や年配者等が階段を踏み外してしまうことを有効に防止することが可能である。
【００３１】
そして、本実施例においては、異なった色にした凸面部３０１ｂの部分を含めて、踏み面部３の全体を押し出し成形により一体成形している。
【００３２】
ここで、前記踏み面部３の押し出し成形による一体成形の方法について説明すると、本実施例における踏み面部３を一体形成する場合には、一対の金型片により構成される金型を用いる。
【００３３】
即ち、図４が、この金型を、これが装着される装置側から見た図であり、また、図５は図４におけるＡ−Ａ線断面図であり、図において４が金型である。
【００３４】
そして、この金型４は、一対の金型片４ａ、４ｂにより構成されており、それぞれの金型片４ａ、４ｂにはそれぞれ、金型４の内部に供給された原料を所望の形状に成形するための通過部５ａ、５ｂを備えており、この通過部５ａ、５ｂはそれぞれ、金型片４ａ、４ｂを貫通している。
【００３５】
ここで、前記金型片４ａ、４ｂについて説明すると、図６は、前記金型４を開いた状態を示す図であり、図において（Ａ）は装置側に位置する金型片４ａであり、（Ｂ）は反装置側に位置する金型片４ｂである。
【００３６】
そして、装置側に位置する金型片４ａに形成された通過部５ａは、前記異なった色にした凸面部３０１ｂの部分を除いた踏み面部３を押し出し可能な形状としており、これにより、装置側の金型片４ａに供給された原料は、異なった色にした凸面部３０１ｂを除いた踏み面部の形状となって反装置側の金型片４ｂの通過部５ｂへ移動していく。
【００３７】
次に、反装置側に位置する金型片４ｂには、前記異なった色にした凸面部３０１ｂの部分を含んだ踏み面部３全体を押し出し可能な形状の通過部５ｂが形成されているとともに、装置側の金型片４ａに対向する面に、第２の原料を供給するための供給路６ｂが形成されており、この原料供給路６ｂは、上端において金型片４ｂの上方で開口になり、下端においては、異なった色にした凸面部３０１ｂの部分の通過部に連通させている。
【００３８】
なお、本実施例に用いる金型片４ａ、４ｂにおいては、前記第２の原料を供給するための供給路６ｂは、装置側の金型片４ａに対向する面に開口した溝としており、一方、装置側の金型片４ａには、最奥部を閉鎖した、前記反装置側の金型片４ｂに形成した溝６ｂとともに金型４の内部に供給路を構成する溝６ａを形成している。
【００３９】
そしてこのような構成の金型４において、金型４を図示しない押出成形用の装置に装着した後に、装置側から金型４の通過部へ向けて任意の色の原料を供給するとともに、他方の金型４２ｂにおける上方側から異なった色の原料を金型４２ｂに供給すると、金型４１の内部において、装置側から供給された高温の原料に他色の高温の原料が接着され、これにより、異なった色の凸面部３０１ｂを一体に備えた踏み面部３が押し出されてくる。
【００４０】
即ち、金型４に供給された原料は、まず、装置側の金型片４ｂを通過する過程において、異なった色にする凸面部３０１ｂを除いた踏み面部３の形状に成形された後に反装置側の金型片４ｂの通過部５ｂへ移動していく。
【００４１】
次に、反装置側の金型片４ｂにおいては、移動してきた原料における異なった色にする凸面部の部分に、前記第２の原料を供給するための供給路６ｂから供給されてきた、異なった色の原料が追加され、これによって完全な形状の踏み面部が成形される。
【００４２】
そしてこれにより、金型４からは、中央に位置する凸面部のみが異なった色となった踏み面部３が押出されてくる。
【００４３】
このように、本実施例における踏み面部３は、異なった色にした凸面部を含めて、押し出し成形の際に一体成形しているために、長年月の使用によっても、異なった色にした凸面部が脱落することが無く、そのために、凸面部にテープを貼着して他の色と異なる色にした場合や、他の色と異なった色のプレート等を踏み面部に嵌め込んだ場合と異なり、本実施例の滑り止め具では、長年月使用した場合であっても、異なった色にした凸面部をそのまま維持することが可能であり、これにより、使用期間が長くなった場合にもその機能を維持することが可能である。
【００４４】
次に、このように構成される本実施例の滑り止め具の作用について説明すると、図３において７は階段であり、８は階段７の踏み板、９は階段７の蹴上げ部である。
【００４５】
そして、本実施例の滑り止め具１を装着する場合には、踏み板８における前縁コーナー部を覆うようにして、ネジ等により階段７に装着金具２を装着するとともに、装着金具２に踏み面部３を装着し、これにより、滑り止め具１を階段の踏み板に装着する。
【００４６】
そうすると、まず、踏み面部３に形成した凸面部３０１がストッパーの役目を果たして、これによって階段を昇降する者が足を滑らすことを防止することが可能となる。
【００４７】
また、中央に位置する凸面部３０１の色を他の部分と異なった色、具体的には黄色にするとともに他の踏み面部の色を青色にしているために、この黄色にした凸面部によって、階段を昇降する者に対して階段の位置を知らせて注意を喚起することが可能である。
【００４８】
従って、本実施例の滑り止め具によれば、これを、特に養護施設、老人ホーム等の階段に装着することにより、階段で足を滑らす危険性が高い幼児、年配者の階段における事故を有効に防止することが可能となる。
【００４９】
そしてこのとき、本実施例の滑り止め具１では、異なった色にした凸面部３０１ｂを含めて踏み面部３を一体成形しているために、長年月の使用によっても、異なった色にした凸面部３０１ｂが脱落することが無く、異なった色にした凸面部３０１ｂをそのまま維持することが可能である。
【００５０】
なお、前述の実施例では、踏み面部３の色彩としては、中央部の凸面部を黄色にし、その他の部分を青色にした場合について説明したが、必ずしもこのような配列にする必要は無く、中央部の凸面部の色によって階段の存在を確実に知らせることが可能な色であれば、いずれの色であってもよい。
【００５１】
また、本考案は、複数個の凸面部のいずれかの色を他の踏み面部の色と異なるようにして、この異なった色の凸面部を含めて踏み面部全体を押し出し成形により一体成形したことを特徴としているために、踏み面部と装着金具との連結の構造等に関しては特に限定はされず、必ずしも前述の方法を採用する必要はない。
【００５２】
【考案の効果】
本考案の滑り止め具は以上説明した形態で実施され、以下に記載するような効果を奏する。
【００５３】
本考案の階段用滑り止め具は、階段用の滑り止め具であって、階段の踏み板に装着される装着金具と、該装着金具の上面側に着脱自在に固定された踏み面部とにより構成され、前記踏み面部は、複数の凸面部を有するとともに前記凸面部のいずれかを他の部分と異なる色になるようにして、押し出し成形により一体成形して成ることを特徴としている。
【００５４】
このように、本考案の階段用滑り止め具は、複数個の凸面部を有する踏み面部を備えるとともに、この踏み面部は、複数個の凸面部のいずれかの色が他の部分と異なる色になるようにして、異なる色とした凸面部を含めて、押し出し成形により一体成形しているため、異なった色にした凸面部の存在により階段を昇降する者に対して、階段の存在を確実に知らせてその注意を喚起することが可能であるとともに、異なる色にした凸面部が脱落することが無く、長期間使用した場合でもその機能を損なうことがない。
【図面の簡単な説明】
【図１】本考案の滑り止め具の実施例を示す斜視図である。
【図２】本考案の滑り止め具の実施例を分解した状態の側面図である。
【図３】本考案の滑り止め具の実施例の使用方法を説明するための断面図である。
【図４】本考案の滑り止め具の実施例における踏み面部の成形方法を説明するための図である。
【図５】本考案の滑り止め具の実施例における踏み面部の成形方法を説明するための図である。
【図６】本考案の滑り止め具の実施例における踏み面部の成形方法を説明するための図である。
【図７】従来の階段用滑り止め具を説明するための図である。
【符号の説明】
１　　階段用滑り止め具
２　　装着金具
２０１　　脚部
２０２　　固定面部
２０３　　係止突起
２０４　　係止溝
３　　踏み面部
３０１　　凸面部
３０２　　係止片
４
４ａ、４ｂ　金型
５ａ、５ｂ　　通過部
６ａ、６ｂ　　第２原料の供給路
７　　階段
８　　踏み板
９　　階段の蹴上げ部
【図１】
0003097436.tif 000003
【図２】
0003097436.tif 000004
【図３】
0003097436.tif 000005
【図４】
0003097436.tif 000006
【図５】
0003097436.tif 000007
【図６】
0003097436.tif 000008
【図７】
0003097436.tif 000009